(57)【要約】【課題】魚が掛かった際やキャスト時などにおける釣竿の操作フィーリング向上させることができる釣竿を提供することを課題とする。【解決手段】竿杆１０と、竿杆１０が挿通された筒状のリールシート２０と、リールシート２０の先端部に内嵌された支持体３１と、を備えた釣竿であって、竿杆１０は、支持体３１の挿通孔３１ａに挿通されることで、リールシート２０に支持され、竿杆１０の外周面１０ａと、リールシート２０の内周面２０ｆとの間に形成された内部空間２０ｅには、竿杆１０の外周を囲んでいる緩衝部材５０が設けられており、支持体３１は、竿杆１０およびリールシート２０よりも柔らかい材料で形成され、緩衝部材５０は、支持体３１よりも柔らかい材料で形成されている。【選択図】図２
2011205985.tif 000002
【特許請求の範囲】
【請求項１】
竿杆と、前記竿杆が挿通された筒状のリールシートと、を備え、
前記リールシートの先端部には、前記竿杆に外嵌された支持体が取り付けられ、
前記リールシートの内周面と、前記竿杆の外周面との間に形成された内部空間には、前記竿杆の外周を囲んでいる緩衝部材が設けられており、
前記支持体は、前記竿杆および前記リールシートよりも柔らかい材料で形成され、
前記緩衝部材は、前記支持体よりも柔らかい材料で形成されていることを特徴とする釣竿。
【請求項２】
前記緩衝部材は、前記内部空間に充填されていることを特徴とする請求項１に記載の釣竿。
【請求項３】
前記緩衝部材は、前記リールシートの内周面に取り付けられていることを特徴とする請求項１に記載の釣竿。
【請求項４】
前記緩衝部材は、前記竿杆の外周面に取り付けられていることを特徴とする請求項１に記載の釣竿。
【請求項５】
前記緩衝部材は、スポンジ状の部材、発泡樹脂材、繊維状の部材のいずれか一つまたは二つ以上の組み合わせからなることを特徴とする請求項１から請求項４のいずれか一項に記載の釣竿。
【請求項６】
前記緩衝部材は、前記竿杆の軸方向に部分的に設けられていることを特徴とする請求項１から請求項５のいずれか一項に記載の釣竿。
【発明の詳細な説明】
【技術分野】
【０００１】
本発明は、釣竿に関する。
【背景技術】
【０００２】
従来の釣竿としては、竿杆と、竿杆の手元側が挿通された筒状のリールシートと、を備え、リールシートの内周面と、竿杆の外周面との間に空間が形成されているものがある（例えば、特許文献１参照）。このような釣竿では、竿杆の穂先側の撓りに加えて、リールシート内でも竿杆が撓るため、竿杆全体の撓りを大きくすることができる。
【先行技術文献】
【特許文献】
【０００３】
【特許文献１】特開２００２−１９１２６８号公報
【発明の概要】
【発明が解決しようとする課題】
【０００４】
前記した従来の釣竿では、リールシート内で竿杆が撓ったときに、竿杆がリールシートの内周面に接触する可能性がある。そして、竿杆がリールシートの内周面に接触することで、魚が掛かった際やキャスト時などにおける釣竿の操作フィーリングが損なわれるおそれがあった。
【０００５】
そこで、本発明は、魚が掛かった際やキャスト時などにおける釣竿の操作フィーリングを向上させることができる釣竿を提供することを課題とする。
【課題を解決するための手段】
【０００６】
前記課題を解決するため、本発明は、竿杆と、前記竿杆が挿通された筒状のリールシートと、を備え、前記リールシートの先端部には、前記竿杆に外嵌された支持体が取り付けられ、前記リールシートの内周面と、前記竿杆の外周面との間に形成された内部空間には、前記竿杆の外周を囲んでいる緩衝部材が設けられており、前記支持体は、前記竿杆および前記リールシートよりも柔らかい材料で形成され、前記緩衝部材は、前記支持体よりも柔らかい材料で形成されていることを特徴としている。
【０００７】
この構成では、リールシートの内周面と竿杆の外周面との間に、緩衝部材が介在しているため、リールシート内で竿杆が撓ったときに、竿杆がリールシートの内周面に接触するのを防ぐとともに、竿杆からの衝撃を緩衝部材によって吸収することができる。
特に、本発明では、緩衝部材が竿杆の外周を囲んでいるため、竿杆がどの方向に撓ってもリールシートの内周面に接触するのを防ぐことができる。
【０００８】
前記緩衝部材は前記内部空間に充填してもよい。また、前記緩衝部材を前記リールシートの内周面に取り付けてもよい。さらに、前記緩衝部材を前記竿杆の外周面に取り付けてもよい。なお、前記緩衝部材は、前記竿杆の軸方向に部分的に設けてもよい。
【０００９】
前記緩衝部材を、スポンジ状の部材、発泡樹脂材、繊維状の部材のいずれか一つまたは二つ以上の組み合わせによって構成してもよい。
【発明の効果】
【００１０】
請求項１に記載された釣竿では、竿杆がどの方向に撓っても、リールシートの内周面に接触するのを防ぐことができるため、魚が掛かった際やキャスト時などにおける釣竿の操作フィーリングを向上させるとともに、リールシートに接触音や振動が発生するのを防ぐことができる。
そして、竿杆の穂先側の撓りに加えて、リールシート内でも竿杆が撓るため、竿杆全体の撓りを大きくすることができる。したがって、竿杆に対して局部的に大きな負荷が生じるのを防ぐことができ、竿杆の破損を防ぐことができる。また、魚の引きを緩和することができるため、魚を早めに弱らせることができる。さらに、釣人が握持しているリールシート内で竿杆が撓ることで、釣人は実際よりも大きな魚を釣っているような撓り感を得ることができる。
【００１１】
また、請求項２、請求項３、請求項４および請求項６に記載された釣竿では、緩衝部材をリールシート内に簡単に設けることができる。
【００１２】
さらに、請求項５に記載された釣竿では、緩衝部材の材料を適宜に変化させることで、竿杆の撓り具合を対象魚に合わせて調整することができ、釣竿の操作フィーリングを向上させることができる。
【図面の簡単な説明】
【００１３】
【図１】第一実施形態の釣竿を示した側面図である。
【図２】第一実施形態の竿杆およびリールシートを示した図で、（ａ）は側断面図、（ｂ）は図２（ａ）のＡ−Ａ断面図である。
【図３】第一実施形態の竿杆およびリールシートを示した図で、竿杆が撓った状態の側断面図である。
【図４】第一実施形態の釣竿の他の構成を示した図で、先端側の支持体のみが設けられている構成の側断面図である。
【図５】第二実施形態の竿杆およびリールシートを示した図で、（ａ）は側断面図、（ｂ）は図５（ａ）のＡ−Ａ断面図である。
【図６】第三実施形態の竿杆およびリールシートを示した図で、（ａ）は側断面図、（ｂ）は図６（ａ）のＡ−Ａ断面図である。
【発明を実施するための形態】
【００１４】
本発明の実施形態について、適宜図面を参照しながら詳細に説明する。
なお、各実施形態の説明において、同一の構成要素に関しては同一の符号を付し、重複した説明は省略するものとする。
【００１５】
［第一実施形態］
第一実施形態の釣竿１は、図１に示すように、竿杆１０と、竿杆１０の手元側（図１の右側）が挿通された筒状のリールシート２０と、リールシート２０の基端部（図１の右側の端部）に取り付けられたグリップ４０と、を備えている。
【００１６】
竿杆１０は、例えば、繊維強化樹脂材（ＦＲＰ）によって形成されており、複数の釣糸ガイド１１が所定の位置に設けられている。
【００１７】
リールシート２０は、図２（ａ）に示すように、略円筒状の部材であり（図２（ｂ）参照）、例えば、ステンレスやチタンなどの金属材料や合成樹脂材などを用いて形成されている。このリールシート２０には、リールの脚部２が装着されるリール脚装着部２１が設けられている。
【００１８】
リール脚装着部２１は、リールシート２０の外周面２０ｇの下部に形成されたリール脚装着面２２と、リール脚装着面２２の先端側に設けられた固定フード２３と、リール脚装着面２２の基端側に設けられた可動フード２４と、を備えている。
【００１９】
リール脚装着面２２は、外周面２０ｇの下部に形成された平面であり（図２（ｂ）参照）、脚部２が装着される部位である。なお、脚部２の上端部には、先端側および基端側に延出された延出部２ａ，２ｂが形成されている。
【００２０】
固定フード２３は、脚部２の先端側の延出部２ａが係止される部位であり、先端側の延出部２ａが挿入される空間２３ａを有している。
【００２１】
可動フード２４は、リールシート２０の外周面２０ｇの基端部に形成された雄ねじ２０ｂに螺合される円筒状の部材であり、基端側の内周面に雌ねじ２４ｂが形成されている。可動フード２４の先端部の内周面は、開口縁部に向かうに連れて拡径されたテーパ面となっており、可動フード２４の内周面とリール脚装着面２２との間には、脚部２の基端側の延出部２ｂが挿入される空間２４ａが形成されている。
【００２２】
リール脚装着部２１に脚部２を装着する場合には、まず、固定フード２３の空間２３ａに先端側の延出部２ａが挿入された状態で、リール脚装着面２２に脚部２を当接させる。
さらに、リールシート２０の基端部に螺合させた可動フード２４を先端側に向けて締め込んで、基端側の延出部２ｂを可動フード２４の空間２４ａに挿入する。これにより、各延出部２ａ，２ｂが固定フード２３および可動フード２４に係止され、脚部２がリールシート２０に固定される。
【００２３】
リールシート２０には、先端面２０ｃから基端面２０ｄに貫通した中心孔２０ａが形成されている。中心孔２０ａの内径は、竿杆１０の外径よりも大きく形成されている。
【００２４】
中心孔２０ａの先端部および基端部には、竿杆１０に外嵌された支持体３１，３２が内嵌されている。支持体３１，３２は、竿杆１０が中心孔２０ａの中心部に配置されるように、竿杆１０を支持する部材である（図２（ｂ）参照）。また、各支持体３１，３２は、竿杆１０やリールシート２０を形成している材料よりも柔らかい材料で形成されている。具体的には、各支持体３１，３２は、竿杆１０の撓りに追従して弾性変形する柔軟性を備えており、例えば、ウレタンゴムなどの合成樹脂材や天然ゴムなどのゴム材、コルク、発泡樹脂材によって形成されている。
【００２５】
各支持体３１，３２の中心部には、竿杆１０が挿通される挿通孔３１ａ，３２ａが貫通しており、挿通孔３１ａ，３２ａに挿通された竿杆１０の外周面１０ａが、挿通孔３１ａ，３２ａの内周面に密着するように、挿通孔３１ａ，３２ａの内径が設定されている。なお、竿杆１０の外周面１０ａと挿通孔３１ａ，３２ａの内周面とは接着剤によって接着されることで液密に封止されている。
【００２６】
リールシート２０の先端面２０ｃには、円形のキャップ２５が接着されている。キャップ２５の中心部には開口部２５ａが貫通している。この開口部２５ａは、中心孔２０ａから突出した竿杆１０が挿通される部位である。
開口部２５ａの内径は、中心孔２０ａの内径よりも小さく形成されており、キャップ２５は先端側の支持体３１の抜け止め部材としての役割りを果たしている。
また、竿杆１０が撓ったときに（図３参照）、竿杆１０が開口部２５ａの内周面に接触しないように、開口部２５ａの内径は、竿杆１０の外径よりも大きく形成されている。
【００２７】
リールシート２０の基端面２０ｄには、グリップ４０の先端面４０ａが接着されている。グリップ４０は、例えば、コルクや合成樹脂材などの部材によって形成されている。グリップ４０は、釣人に握持される部位であり、キャスト時には、一方の手でリールシート２０を握持し、他方の手でグリップ４０を握持することができる。
グリップ４０の先端面４０ａの中心部には、竿杆１０の基端部（竿尻）が挿入される取付穴４０ｂが形成されており、竿杆１０の基端部が取付穴４０ｂ内に接着されている。
【００２８】
中心孔２０ａの内周面２０ｆと、竿杆１０の外周面１０ａとの間には、環状の内部空間２０ｅが形成されている。
また、内部空間２０ｅには、スポンジ状の緩衝部材５０が充填されている。このように、内部空間２０ｅには、竿杆１０の外周を囲んでいる環状の緩衝部材５０が設けられている（図２（ｂ）参照）。
緩衝部材５０は、各支持体３１，３２を形成している材料よりも柔らかい材料で形成されている。具体的には、緩衝部材５０は、竿杆１０が撓ったときに、竿杆１０に押されて弾性変形する柔軟性を備えており、例えば、軟質ウレタンフォームやポリウレタンフォームなどの合成樹脂材を用いたスポンジ状の部材である。また、緩衝部材５０としては、天然繊維、合成樹脂繊維、ガラス繊維などの繊維や、その塊またはフェルトなどを用いてもよい。
【００２９】
以上のような釣竿１（図１参照）では、図２（ａ）に示すように、竿杆１０およびリールシート２０よりも各支持体３１，３２が柔らかく形成され、各支持体３１，３２よりも緩衝部材５０が柔らかく形成されている。したがって、図３に示すように、竿杆１０が撓ったときには、竿杆１０に押されて支持体３１，３２および緩衝部材５０が弾性変形するため、リールシート２０内で竿杆１０を撓らせることができる。このとき、グリップ４０は変形することなく、竿杆１０の基端部（竿尻）を支持している。また、竿杆１０はキャップ２５の開口部２５ａの内周面に接触しないため、竿杆１０を十分に撓らせることができる。
【００３０】
このように、第一実施形態の釣竿１（図１参照）では、竿杆１０の穂先側の撓りに加えて、リールシート２０内でも竿杆１０が撓るため、竿杆１０全体の撓りを大きくすることができる。したがって、竿杆１０に対して局部的に大きな負荷が生じるのを防ぐことができ、竿杆１０の破損を防ぐことができる。また、魚の引きを緩和することができるため、魚を早めに弱らせることができる。さらに、釣人が握持しているリールシート２０内で竿杆１０が撓ることで、釣人は実際よりも大きな魚を釣っているような撓り感を得ることができる。
【００３１】
また、リールシート２０の内周面２０ｆと、竿杆１０の外周面１０ａとの間には、竿杆１０の外周を囲んでいる緩衝部材５０が介在しているため、竿杆１０がどの方向に撓っても内周面２０ｆに接触するのを防ぐとともに、竿杆１０からの衝撃を緩衝部材５０によって吸収することができる。したがって、魚が掛かった際やキャスト時などにおける釣竿１（図１参照）の操作フィーリングを向上させるとともに、リールシート２０に接触音や振動が発生するのを防ぐことができる。
【００３２】
以上、本発明の第一実施形態について説明したが、本発明は前記した第一実施形態に限定されることなく、その趣旨を逸脱しない範囲で適宜に変更が可能である。
例えば、第一実施形態では、図２（ａ）に示すように、スポンジ状の緩衝部材５０を用いているが、支持体３１，３２よりも柔らかい材料であれば、発泡樹脂材や繊維状の部材を用いてもよい。
なお、発泡樹脂材を用いる場合には、粒状の発泡樹脂材を内部空間２０ｅに充填してもよい。また、繊維状の部材としては、天然繊維、合成樹脂繊維、ガラス繊維などを用いることができ、さらには、その塊またはフェルトなどを用いてもよい。
さらに、スポンジ状の部材、発泡樹脂材、繊維状の部材を組み合わせて緩衝部材を形成してもよい。
【００３３】
また、支持体３１，３２の外周面に硬質な環状の部材を接合し、支持体３１，３２の外周面とリールシート２０の内周面２０ｆとの間に硬質な部材を介在させてもよい。さらに、支持体３１，３２の内周面に硬質な環状の部材を接合し、支持体３１，３２の内周面と竿杆１０の外周面１０ａとの間に硬質な部材を介在させてもよい。
【００３４】
そして、各支持体３１，３２および緩衝部材５０の柔軟性を適宜に変化させることで、竿杆１０の撓り具合を対象魚に合わせて調整することができ、釣竿１（図１参照）の操作フィーリングを向上させることができる。
【００３５】
また、本実施形態では、緩衝部材５０が竿杆１０の軸方向に連続して設けられているが、緩衝部材を竿杆１０の軸方向に部分的に設けてもよい。例えば、竿杆１０がリールシート２０内で最も大きく変位する部位に対応させて緩衝部材を設けた場合には、緩衝部材を小さくすることができ、釣竿１（図１参照）を軽量化することができる。
【００３６】
また、第一実施形態では、リールシート２０の先端部および基端部にそれぞれ支持体３１，３２を設けているが、図４に示すように、リールシート２０の先端部のみに支持体３１を設けてもよい。
【００３７】
［第二実施形態］
次に、本発明の第二実施形態の釣竿について説明する。
第二実施形態の釣竿は、前記した第一実施形態の釣竿と略同様な構成であり、図５（ａ）および（ｂ）に示すように、筒状の緩衝部材６０がリールシート２０の内周面２０ｆに取り付けられていることが異なっている。
【００３８】
第二実施形態では、筒状に形成された緩衝部材６０の外周面６０ｂが、リールシート２０の内周面２０ｆに接合されている。
そして、竿杆１０がリールシート２０内で撓ったときには、竿杆１０は緩衝部材６０の内周面６０ａに接触するため、竿杆１０が内周面２０ｆに接触するのを防ぐとともに、竿杆１０からの衝撃を緩衝部材６０によって吸収することができる。さらに、緩衝部材６０は竿杆１０の外周を囲んでいるため、竿杆１０がどの方向に撓っても内周面２０ｆに接触するのを防ぐことができる。したがって、魚が掛かった際やキャスト時などにおける釣竿１（図１参照）の操作フィーリングを向上させるとともに、リールシート２０に接触音や振動が発生するのを防ぐことができる。
【００３９】
［第三実施形態］
次に、本発明の第三実施形態の釣竿について説明する。
第三実施形態の釣竿は、前記した第一実施形態の釣竿と略同様な構成であり、図６（ａ）および（ｂ）に示すように、球状の緩衝部材７０が竿杆１０の外周面１０ａに取り付けられていることが異なっている。
【００４０】
第三実施形態では、球状の緩衝部材７０を貫通する挿通孔７０ａに竿杆１０が挿通されており、竿杆１０の外周面１０ａに取り付けられた緩衝部材７０が中心孔２０ａ内に配置されている。
なお、第三実施形態では、緩衝部材７０の直径が中心孔２０ａの内径よりも小さく形成されており、内周面２０ｆと緩衝部材７０の外面７０ｂとの間に隙間が形成されているが、緩衝部材７０の外面７０ｂが内周面２０ｆに接触していてもよい。
【００４１】
そして、竿杆１０がリールシート２０内で撓ったときには、緩衝部材７０が内周面２０ｆに接触するため、竿杆１０が内周面２０ｆに接触するのを防ぐとともに、竿杆１０からの衝撃を緩衝部材７０によって吸収することができる。さらに、緩衝部材７０は竿杆１０の外周を囲んでいるため、竿杆１０がどの方向に撓っても内周面２０ｆに接触するのを防ぐことができる。したがって、魚が掛かった際やキャスト時などにおける釣竿１（図１参照）の操作フィーリングを向上させるとともに、リールシート２０に接触音や振動が発生するのを防ぐことができる。
【００４２】
なお、緩衝部材７０は、球状に限定されるものではなく、円柱状や直方体など各種形状の緩衝部材を用いることができる。さらに、複数の緩衝部材を竿杆１０の軸方向に間隔を空けて配置してもよい。
【符号の説明】
【００４３】
１      釣竿
２      リールの脚部
１０    竿杆
１０ａ  竿杆の外周面
２０    リールシート
２０ａ  中心孔
２０ｅ  内部空間
２０ｆ  内周面
２１    リール脚装着部
２３    固定フード
２４    可動フード
２５    キャップ
３１    先端側の支持体
３２    基端側の支持体
４０    グリップ
５０    スポンジ状の緩衝部材（第一実施形態）
６０    筒状の緩衝部材（第二実施形態）
７０    球状の緩衝部材（第三実施形態）
【図１】
2011205985.tif 000003
【図２】
2011205985.tif 000004
【図３】
2011205985.tif 000005
【図４】
2011205985.tif 000006
【図５】
2011205985.tif 000007
【図６】
2011205985.tif 000008